(57)【要約】【課題】環境及びユーザの要望に応じて適切に各貯湯槽内の湯水を加熱することが可能なマルチ給湯システム及びその制御方法を提供する。【解決手段】マルチ太陽熱利用給湯システム１において各太陽熱利用給湯システム１０は、太陽熱利用給湯システム１０が備える貯湯槽１１と集熱パネル１２とで熱媒を循環させる第１配管１３と、第１配管１３における熱媒の循環を制御する循環制御弁１４と、を有し、各太陽熱利用給湯システム１０の各第１配管１３を接続することにより、各太陽熱利用給湯システム１０の貯湯槽１１の熱媒を他の太陽熱利用給湯システム１０の集熱パネル１２とで循環可能とする第２配管６０を備える。【選択図】図１
2014181822.tif 000002
【特許請求の範囲】
【請求項１】
貯湯槽内の熱媒を持続可能エネルギーを利用した加熱源に供給して熱媒を加熱し、当該加熱源にて加熱された熱媒を貯湯槽に供給して貯湯槽内の湯水を加熱する給湯システムを複数備えたマルチ給湯システムであって、
各給湯システムは、当該給湯システムが備える前記貯湯槽と前記加熱源とで熱媒を循環させる第１配管と、前記第１配管における熱媒の循環を制御する循環制御弁と、を有し、
前記各給湯システムの各第１配管を接続することにより、各給湯システムの貯湯槽の熱媒を他の給湯システムの加熱源とで循環可能とする第２配管を備える
ことを特徴とするマルチ給湯システム。
【請求項２】
１の給湯システムについて前記循環制御弁を開けると共に、他の給湯システムについて前記循環制御弁を閉じる制御を実行する制御手段をさらに備える
ことを特徴とする請求項１に記載のマルチ給湯システム。
【請求項３】
前記制御手段は、前記１の給湯システムの貯湯槽の湯水が予め定められた設定温度に達した場合、前記１の給湯システムの前記循環制御弁を閉じ、他の１つの給湯システムの前記循環制御弁を開ける
ことを特徴とする請求項２に記載のマルチ給湯システム。
【請求項４】
前記複数の給湯システムを高温給湯系統と中温給湯系統に分けて、複数の給湯システムの貯湯槽のうち高温給湯系統に属する貯湯槽から優先的に熱媒を循環させる
ことを特徴とする請求項３に記載のマルチ給湯システム。
【請求項５】
各給湯システムは、貯湯槽内の湯水の出湯を制御する出湯制御弁をさらに有し、
前記制御手段は、設定温度に達した湯水を貯湯する貯湯槽がある場合、その貯湯槽について選択的に出湯制御弁を開けて出湯させると共に、設定温度に達した湯水を貯湯する貯湯槽がない場合、前記１の給湯システムの出湯制御弁を開けて出湯させる
ことを特徴とする請求項２から請求項４のいずれか１項に記載のマルチ給湯システム。
【請求項６】
前記制御手段は、１の給湯システムについて前記循環制御弁を開けると共に、他の給湯システムについて前記循環制御弁を閉じる温度優先モードと、各給湯システムそれぞれについて前記循環制御弁を開ける熱量優先モードとを有する
ことを特徴とする請求項１に記載のマルチ給湯システム。
【請求項７】
供給先の出湯パターンを記憶する記憶手段をさらに備え、
前記制御手段は、前記記憶手段により記憶された出湯パターンに応じて、前記温度優先モードと前記熱量優先モードとを切り替える
ことを特徴とする請求項６に記載のマルチ給湯システム。
【請求項８】
貯湯槽内の熱媒を加熱源に供給して熱媒を加熱し、当該加熱源にて加熱された熱媒を貯湯槽に供給して貯湯槽内の湯水を加熱する複数の給湯システムが、当該給湯システムが備える前記貯湯槽と前記加熱源とで熱媒を循環させる第１配管と、前記第１配管における熱媒の循環を制御する循環制御弁と、を有し、前記各給湯システムの各第１配管を接続することにより、各給湯システムの貯湯槽の熱媒を他の給湯システムの加熱源とで循環可能とする第２配管を備えるマルチ給湯システムの制御方法であって、
１の給湯システムについて前記循環制御弁を開けると共に、他の給湯システムについて前記循環制御弁を閉じる制御を実行する制御工程を有する
ことを特徴とするマルチ給湯システムの制御方法。
【請求項９】
貯湯槽内の熱媒を加熱源に供給して熱媒を加熱し、当該加熱源にて加熱された熱媒を貯湯槽に供給して貯湯槽内の湯水を加熱する複数の給湯システムが、当該給湯システムが備える前記貯湯槽と前記加熱源とで熱媒を循環させる第１配管と、前記第１配管における熱媒の循環を制御する循環制御弁と、を有し、前記各給湯システムの各第１配管を接続することにより、各給湯システムの貯湯槽の熱媒を他の給湯システムの加熱源とで循環可能とする第２配管を備えるマルチ給湯システムの制御方法であって、
１の給湯システムについて前記循環制御弁を開けると共に、他の給湯システムについて前記循環制御弁を閉じる温度優先モードと、各給湯システムそれぞれについて前記循環制御弁を開ける熱量優先モードとのいずれか一方のモードに応じて前記循環制御弁を開閉する制御工程と、
を有することを特徴とするマルチ給湯システムの制御方法。
【発明の詳細な説明】
【技術分野】
【０００１】
本発明は、マルチ給湯システム及びその制御方法に関する。
【背景技術】
【０００２】
従来、例えば太陽熱により熱媒を加熱し、この熱媒を貯湯槽に供給して貯湯槽内の湯水を加熱し、この加熱された湯水をユーザ側に供給する太陽熱利用給湯システムが提案されている。
【０００３】
また、太陽熱利用給湯システムには種々のものが提案されており、太陽熱以外の熱源により熱媒を加熱する熱電供給装置との併用により湯水を得る熱源水供給システムが提案されている。このシステムでは、太陽熱によって貯湯槽内の湯水を加熱する場合と、熱電供給装置に供給される湯水を加熱する場合とで切替可能となっている（特許文献１参照）。
【０００４】
また、集熱パネルにより加熱された熱媒により貯湯タンク内の湯水を加熱すると共に、貯湯タンク内の湯水を加熱する加熱源を別に備えたものも提案されている。このシステムでは、加熱源による湯水の加熱が過剰とならないように加熱源による加熱の停止タイミングについて適切化を行って太陽熱の回収の効率化を図るようにしている（特許文献２参照）。
【０００５】
さらに、太陽熱利用給湯システムには、複数の貯湯タンクを備えるものも提案されている。このシステムでは、日照環境が悪いときには集熱パネルに対して低温タンクから湯水を供給して加熱すると共に、日照環境が良いときには集熱パネルに対して高温タンクからの湯水を供給する。これにより、日照環境に応じて効率良く湯水を加熱するようにしている（特許文献３参照）。
【先行技術文献】
【特許文献】
【０００６】
【特許文献１】特開２０１１−１６３６８０号公報
【特許文献２】特開２０１０−１７５１４２号公報
【特許文献３】特開平８−９４１９０号公報
【発明の概要】
【発明が解決しようとする課題】
【０００７】
従来、特許文献１，２に記載のような太陽熱利用給湯システムを複数台設置することがあった。この場合において、太陽熱利用給湯システムは、基本的に集熱パネルと貯湯槽とが一対一の対応関係となっている。このため、全ての貯湯槽において湯水は同じように温度が上がることとなる。ゆえに、午前中や冬場など日照量が充分でない場合には、全ての貯湯槽において設定温度未満の湯水しか得られず、設定温度の湯水を得るためには、後段に接続されるガス給湯器等で追い焚きを行うこととなってしまう。
【０００８】
そこで、特許文献３に記載のシステムのように、温度別に貯湯可能な複数のタンクを設けるとしたとしても、以下の問題が発生してしまう。すなわち、特許文献３のシステムでは、日照量が少ない場合を第１ステージとしており、第１ステージでは、特許文献３の図２に示すように、最低温タンクからの湯水を集熱パネルに供給するようにしている。このため、最低温度タンク内の湯水は設定温度まで達するとは言えず、依然として設定温度の湯水を得るためには、後段に接続されるガス給湯器等で追い焚きを行うこととなってしまう。
【０００９】
また、特許文献３に記載のシステムでは、温度別に複数のタンクを設けているため、高温タンクの放熱量が高くなると共に、高温水は低温水よりも集熱効率が低いことから高温タンクについて集熱効率が低下してしまう。すなわち、熱効率の観点からすると各貯湯槽の湯水を同じ温度となるように加熱することが良く、特許文献３に記載のシステムでは、一概に熱効率が良いものとは言えない。特に、熱効率を重視するユーザにとっては、各貯湯槽の湯水を同じ温度となるように加熱することを望むこともある。
【００１０】
以上のように、従来のシステムでは、環境及びユーザの要望に応じて適切に各貯湯槽内の湯水を加熱するという点において、依然として改善の余地があるものであった。なお、この問題は太陽熱により湯水を加熱するシステムに限らず、風力、地熱、排熱等を利用して湯水を利用した場合であっても共通する問題である。
【００１１】
本発明はこのような従来の課題を解決するためになされたものであり、その発明の目的とするところは、環境及びユーザの要望に応じて適切に各貯湯槽内の湯水を加熱することが可能なマルチ給湯システム及びその制御方法を提供することにある。
【課題を解決するための手段】
【００１２】
本発明のマルチ給湯システムは、貯湯槽内の熱媒を持続可能エネルギーを利用した加熱源に供給して熱媒を加熱し、当該加熱源にて加熱された熱媒を貯湯槽に供給して貯湯槽内の湯水を加熱する給湯システムを複数備えたマルチ給湯システムであって、各給湯システムは、当該給湯システムが備える貯湯槽と加熱源とで熱媒を循環させる第１配管と、第１配管における熱媒の循環を制御する循環制御弁と、を有し、各給湯システムの各第１配管を接続することにより、各給湯システムの貯湯槽の熱媒を他の給湯システムの加熱源とで循環可能とする第２配管を備えることを特徴とする。
【００１３】
本発明のマルチ給湯システムによれば、各給湯システムの各第１配管を接続することにより、各給湯システムの貯湯槽の熱媒を他の給湯システムの加熱源とで循環可能とする第２配管を備えている。このため、各給湯システムの循環制御弁を制御することにより、１の貯湯槽に対して複数の加熱源にて加熱された熱媒を供給することが可能となる。これにより、例えば給湯システムが太陽熱利用給湯システムである場合には、日照環境が悪い季節や時間帯であっても１の貯湯槽における湯水については高温化を図ることができる。一方、第２配管にて熱媒を循環させないことにより、それぞれの加熱源にて加熱された熱媒をそれぞれの貯湯槽に供給することも可能となる。よって、全ての貯湯槽内の湯水について均等に温度を上昇させることもできる。従って、環境及びユーザの要望に応じて適切に各貯湯槽内の湯水を加熱することができる。
【００１４】
また、本発明のマルチ給湯システムにおいて、１の給湯システムについて循環制御弁を開けると共に、他の給湯システムについて循環制御弁を閉じる制御を実行する制御手段をさらに備えることが好ましい。
【００１５】
このマルチ給湯システムによれば、１の給湯システムについて循環制御弁を開けるため、第１配管を通じて熱媒を循環させて貯湯槽内の湯水を加熱することができる。また、他の給湯システムについて循環制御弁を閉じるため、第２配管を通じて他の給湯システムの加熱源により加熱された熱媒を当該１の給湯システムの貯湯槽に供給して当該貯湯槽内の湯水を加熱することができる。よって、１つの貯湯槽内の湯水を優先的に加熱でき、例えば給湯システムが太陽熱利用給湯システムである場合には、午前中などの日射量が充分でない環境においても、後段に接続されるガス給湯器等における追い焚きの頻度を低減することができる。
【００１６】
また、本発明のマルチ給湯システムにおいて、制御手段は、１の給湯システムの貯湯槽の湯水が予め定められた設定温度に達した場合、１の給湯システムの循環制御弁を閉じ、他の１つの給湯システムの循環制御弁を開けることが好ましい。
【００１７】
このマルチ給湯システムによれば、１の給湯システムの貯湯槽の湯水が予め定められた設定温度に達した場合、１の給湯システムの循環制御弁を閉じ、他の１つの給湯システムの循環制御弁を開ける。このため、他の１つの給湯システムについて、貯湯槽内の湯水を優先的に加熱して設定温度に達した湯又は設定温度に近い温度に達した湯を得ることができる。従って、後段に接続されるガス給湯器等における追い焚きの頻度を一層低減することができる。
【００１８】
また、本発明のマルチ給湯システムにおいて、複数の給湯システムを高温給湯系統と中温給湯系統に分けて、複数の給湯システムの貯湯槽のうち高温給湯系統に属する貯湯槽から優先的に熱媒を循環させることが好ましい。
【００１９】
このマルチ給湯システムによれば、複数の給湯システムの貯湯槽のうち高温給湯系統に属する貯湯槽から優先的に熱媒を循環させるため、高温給湯系統に属する貯湯槽内の湯水は設定温度又は設定温度に近い温度を保持することができる。従って、後段に接続されるガス給湯器等における追い焚きの頻度をより一層低減することができる。
【００２０】
また、本発明のマルチ給湯システムにおいて、各給湯システムは、貯湯槽内の湯水の出湯を制御する出湯制御弁をさらに有し、制御手段は、設定温度に達した湯水を貯湯する貯湯槽がある場合、その貯湯槽について選択的に出湯制御弁を開けて出湯させると共に、設定温度に達した湯水を貯湯する貯湯槽がない場合、１の給湯システムの出湯制御弁を開けて出湯させることが好ましい。
【００２１】
このマルチ給湯システムによれば、設定温度に達した湯水を貯湯する貯湯槽がある場合、その貯湯槽について選択的に出湯制御弁を開けて出湯させるため、設定温度に達した湯水をユーザに供給でき追い焚きを不要とすることができる。また、設定温度に達した湯水を貯湯する貯湯槽がない場合、優先加熱される１の給湯システムの出湯制御弁を開けて出湯させるため、最も優先的に加熱される貯湯槽内の湯水をユーザに供給することができる。
【００２２】
また、本発明のマルチ給湯システムにおいて、制御手段は、１の給湯システムについて循環制御弁を開けると共に、他の給湯システムについて循環制御弁を閉じる温度優先モードと、各給湯システムそれぞれについて循環制御弁を開ける熱量優先モードとを有することが好ましい。
【００２３】
このマルチ給湯システムによれば、温度優先モードを有するため、後段に接続されるガス給湯器等における追い焚きの頻度を低減することができる。さらに、各給湯システムそれぞれについて循環制御弁を開ける熱量優先モードを有するため、いずれか１つの貯湯槽の湯水のみが高温となり放熱量が高くなってしまう事態を防止でき、貯湯熱量の効率化を図ることができる。
【００２４】
また、本発明のマルチ給湯システムにおいて、供給先の出湯パターンを記憶する記憶手段をさらに備え、制御手段は、記憶手段により記憶された出湯パターンに応じて、温度優先モードと熱量優先モードとを切り替えることが好ましい。
【００２５】
このマルチ給湯システムによれば、記憶された出湯パターンに応じて、温度優先モードと熱量優先モードとを切り替えるため、ユーザの出湯状況に応じて、追い焚きの頻度を低減することができ、且つ、貯湯熱量の効率化を図ることができる。
【００２６】
また、本発明のマルチ給湯システムの制御方法は、貯湯槽内の熱媒を加熱源に供給して熱媒を加熱し、当該加熱源にて加熱された熱媒を貯湯槽に供給して貯湯槽内の湯水を加熱する複数の給湯システムが、当該給湯システムが備える貯湯槽と加熱源とで熱媒を循環させる第１配管と、第１配管における熱媒の循環を制御する循環制御弁と、を有し、各給湯システムの各第１配管を接続することにより、各給湯システムの貯湯槽の熱媒を他の給湯システムの加熱源とで循環可能とする第２配管を備えるマルチ給湯システムの制御方法であって、１の給湯システムについて循環制御弁を開けると共に、他の給湯システムについて循環制御弁を閉じる制御を実行する制御工程を有することを特徴とする。
【００２７】
本発明のマルチ給湯システムによれば、１の給湯システムについて循環制御弁を開けるため、第１配管を通じて熱媒を循環させて貯湯槽内の湯水を加熱することができる。また、他の給湯システムについて循環制御弁を閉じるため、第２配管を通じて他の給湯システムの加熱源により加熱された熱媒を当該１の給湯システムの貯湯槽に供給して当該貯湯槽内の湯水を加熱することができる。よって、１つの貯湯槽内の湯水を優先的に加熱でき、例えば給湯システムが太陽熱利用給湯システムである場合には、午前中などの日射量が充分でない環境においても、設定温度に達した湯又は設定温度に近い温度に達した湯を得ることができる。従って、設定温度の湯を供給するにあたり、追い焚きの頻度を低減することができる。
【００２８】
さらに、本発明のマルチ給湯システムの制御方法は、貯湯槽内の熱媒を加熱源に供給して熱媒を加熱し、当該加熱源にて加熱された熱媒を貯湯槽に供給して貯湯槽内の湯水を加熱する複数の給湯システムが、当該給湯システムが備える貯湯槽と加熱源とで熱媒を循環させる第１配管と、第１配管における熱媒の循環を制御する循環制御弁と、を有し、各給湯システムの各第１配管を接続することにより、各給湯システムの貯湯槽の熱媒を他の給湯システムの加熱源とで循環可能とする第２配管を備えるマルチ給湯システムの制御方法であって、１の給湯システムについて循環制御弁を開けると共に、他の給湯システムについて循環制御弁を閉じる温度優先モードと、各給湯システムそれぞれについて循環制御弁を開ける熱量優先モードとのいずれか一方のモードに応じて循環制御弁を開閉する制御工程と、を有することを特徴とする。
【００２９】
本発明のマルチ給湯システムによれば、温度優先モードを有するため、設定温度の湯を供給するにあたり、追い焚きの頻度を低減することができる。さらに、各給湯システムそれぞれについて循環制御弁を開ける熱量優先モードを有するため、いずれか１つの貯湯槽の湯水のみが高温となり放熱量が高くなってしまう事態を防止でき、貯湯熱量の効率化を図ることができる。
【発明の効果】
【００３０】
本発明によれば、環境及びユーザの要望に応じて適切に各貯湯槽内の湯水を加熱することが可能なマルチ給湯システム及びその制御方法を提供することができる。
【図面の簡単な説明】
【００３１】
【図１】本発明の実施形態に係るマルチ太陽熱利用給湯システムの構成図である。
【図２】図１に示した第１太陽熱利用給湯システムの詳細を示す構成図である。
【図３】本実施形態に係るマルチ太陽熱利用給湯システムの制御方法を示すフローチャートであって、貯湯槽１１内の温水量を判定する処理を示している。
【図４】本実施形態に係るマルチ太陽熱利用給湯システムの制御方法を示すフローチャートであって、出湯を制御する処理を示している。
【図５】本実施形態に係るマルチ太陽熱利用給湯システムの制御方法を示すフローチャートであって、貯湯制御方法を示す第１のフローチャートである。
【図６】本実施形態に係るマルチ太陽熱利用給湯システムの制御方法を示すフローチャートであって、貯湯制御方法を示す第２のフローチャートである。
【図７】本実施形態に係るマルチ太陽熱利用給湯システムの制御方法を示すフローチャートであって、貯湯制御方法を示す第３のフローチャートである。
【図８】本実施形態に係るマルチ太陽熱利用給湯システムの制御方法を示すフローチャートであって、貯湯制御方法を示す第４のフローチャートである。
【図９】熱媒の循環の詳細を示す図であって、熱量優先モードを示している。
【図１０】熱媒の循環の詳細を示す図であって、温度優先モードにおいて第１太陽熱利用給湯システムを優先加熱する場合を示している。
【図１１】熱媒の循環の詳細を示す図であって、温度優先モードにおいて第２太陽熱利用給湯システムを優先加熱する場合を示している。
【図１２】熱媒の循環の詳細を示す図であって、温度優先モードにおいて第３太陽熱利用給湯システムを優先加熱する場合を示している。
【図１３】本実施形態に係るマルチ太陽熱利用給湯システムの変形例を示す構成図である。
【発明を実施するための形態】
【００３２】
以下、本発明の好適な実施形態を図面に基づいて説明するが、本発明は該実施形態に限られるものではない。なお、以下の実施形態ではマルチ太陽熱利用給湯システムをマルチ給湯システムの一例として説明すると共に、太陽熱利用給湯システムを給湯システムの一例として説明するが、本発明はマルチ太陽熱利用給湯システム及び太陽熱利用給湯システムに限られるものではない。すなわち、マルチ給湯システム及び給湯システムは、持続可能エネルギーにより熱媒を加熱するものであれば他のものであってもよい。ここで、持続可能エネルギーとは、再生可能エネルギー（太陽熱、地熱、水力、潮力、風力）よりも広義な概念であって、再生可能エネルギーに加えて他の機器等の排熱を含む概念である。
【００３３】
図１は、本発明の実施形態に係るマルチ太陽熱利用給湯システムの構成図である。図１に示すように、マルチ太陽熱利用給湯システム１は、太陽熱を利用して熱媒を加熱する集熱パネル（加熱源）１２に対して貯湯槽１１内の熱媒を供給して熱媒を加熱し、当該集熱パネル１２にて加熱された熱媒を貯湯槽１１に供給して貯湯槽１１内の湯水を加熱する太陽熱利用給湯システム１０を複数備えたものである。このマルチ太陽熱利用給湯システム１は、図１に示すように、複数（本実施形態では３台）の太陽熱利用給湯システム１０を並列接続している。以下、３台の太陽熱利用給湯システム１０ａ〜１０ｃは同様の構成を有しているため、第１太陽熱利用給湯システム１０ａのみを例示して説明する。また、以下の説明において湯水とは、冷水から温水までの温度範囲を含む概念である。
【００３４】
第１太陽熱利用給湯システム１０ａは、貯湯槽１１、集熱パネル１２、第１配管１３、循環制御弁１４、集熱ポンプ１５、逆止弁１６、及び出湯制御弁１７を備えている。
【００３５】
貯湯槽１１は、給水配管２０を通じて冷水が供給される部位である。また、貯湯槽１１は、内部に熱交換器１１ｄを備えており、熱交換器１１ｄにおいて熱媒と湯水との熱交換を行い、貯湯槽１１内の湯水を加熱する構成となっている。
【００３６】
集熱パネル１２は、太陽熱によって熱媒を加熱するものである。この集熱パネル１２は、仕様に応じて図１に示すように、複数枚が直列接続される構成となっている。
【００３７】
第１配管１３は、貯湯槽１１内の熱交換器１１ｄと集熱パネル１２とで熱媒を循環させる配管であって、行き配管１３ａと、戻り配管１３ｂとから構成されている。行き配管１３ａは、熱交換器１１ｄにて湯水を加熱することにより温度が低下した熱媒が流れる配管であって、熱媒を集熱パネル１２に供給するために設けられている。戻り配管１３ｂは、集熱パネル１２にて加熱された熱媒が流れる配管であって、熱媒を熱交換器１１ｄに供給するために設けられている。
【００３８】
循環制御弁１４は、第１配管１３における熱媒の循環を制御するためのものであって、戻り配管１３ｂ上に設けられている。この循環制御弁１４が開けられることにより、熱媒が熱交換器１１ｄと集熱パネル１２とを循環可能となり、閉じられることにより、熱媒が熱交換器１１ｄと集熱パネル１２とを循環できない状態となる。
【００３９】
集熱ポンプ１５は、熱媒を循環させる動力源となるものであって、行き配管１３ａ上に設けられている。第１太陽熱利用給湯システム１０ａが熱媒を循環させる場合、上記の循環制御弁１４が開けられると共に、集熱ポンプ１５が動作することとなる。これにより、熱媒は、貯湯槽１１内の熱交換器１１ｄと集熱パネル１２とで循環することとなる。
【００４０】
逆止弁１６は、熱媒の逆流を防止するためのものであって、行き配管１３ａのうち集熱ポンプ１５の下流側に設けられている。出湯制御弁１７は、貯湯槽１１内の湯水の出湯を制御するためのものであって、給湯配管３０上に設けられている。この出湯制御弁１７が開けられることにより、貯湯槽１１内の湯水がユーザ側に供給されることとなる。
【００４１】
なお、上記では第１太陽熱利用給湯システム１０ａのみを例示して説明したが、第２及び第３太陽熱利用給湯システム１０ｂ，１０ｃについても同様の構成を備えている。また、以下の説明では、第１太陽熱利用給湯システム１０ａの貯湯槽１１、集熱パネル１２、循環制御弁１４、集熱ポンプ１５、及び出湯制御弁１７をそれぞれ、第１貯湯槽１１ａ、第１集熱パネル１２ａ、第１循環制御弁１４ａ、第１集熱ポンプ１５ａ、及び第１出湯制御弁１７ａと称する。また、第２太陽熱利用給湯システム１０ｂの貯湯槽１１、集熱パネル１２、循環制御弁１４、集熱ポンプ１５、及び出湯制御弁１７をそれぞれ、第２貯湯槽１１ｂ、第２集熱パネル１２ｂ、第２循環制御弁１４ｂ、第２集熱ポンプ１５ｂ、及び第２出湯制御弁１７ｂと称し、第３太陽熱利用給湯システム１０ｃの貯湯槽１１、集熱パネル１２、循環制御弁１４、集熱ポンプ１５、及び出湯制御弁１７をそれぞれ、第３貯湯槽１１ｃ、第３集熱パネル１２ｃ、第３循環制御弁１４ｃ、第３集熱ポンプ１５ｃ、及び第３出湯制御弁１７ｃと称する。
【００４２】
図２は、図１に示した第１太陽熱利用給湯システム１０ａの詳細を示す構成図である。図２に示すように第１太陽熱利用給湯システム１０ａは、さらに複数の温度センサ１８と、制御盤（制御手段）１９とを備えている。
【００４３】
複数の温度センサ１８は、第１貯湯槽１１ａ内の湯水の温度及び熱媒温度を検出するものである。複数の温度センサ１８のうち、第１〜第５温度センサ１８ａ〜１８ｅについては、第１貯湯槽１１ａ内の湯水の温度を検出するために設けられている。第１貯湯槽１１ａ内の湯水の温度は、第１貯湯槽１１ａの上部ほど高く、下部ほど低くなる。このため、第１〜第５温度センサ１８ａ〜１８ｅは、それぞれ高さが異なって設けられている。すなわち、第１温度センサ１８ａは、第１貯湯槽１１ａの最上部付近の温度を検出するように設けられており、第２〜第５温度センサ１８ｂ〜１８ｅは、順次高さが低くなるように設けられている。特に、第５温度センサ１８ｅについては、第１貯湯槽１１ａの最下部付近の温度を検出するように設けられている。
【００４４】
また、複数の温度センサ１８のうち、第６及び第７温度センサ１８ｆ，１８ｇは、熱媒の温度を検出するために設けられている。詳細に第６温度センサ１８ｆは、第１集熱パネル１２ａ内の熱媒温度を検出し、第７温度センサ１８ｇは、第１集熱パネル１２ａの出口における熱媒温度を検出するように設けられている。
【００４５】
制御盤１９は、各弁１４，１７の開閉、並びに第１集熱ポンプ１５ａの駆動及び停止を制御するものである。この制御盤１９は、複数の温度センサ１８からの信号に基づいて、制御を実行する構成となっている。
【００４６】
なお、図２から明らかなように、制御盤１９は、第２及び第３太陽熱利用給湯システム１０ｂ，１０ｃにも設けられており、各制御盤１９は、信号線４０により接続されている。さらに、図示を省略しているが、第２及び第３太陽熱利用給湯システム１０ｂ，１０ｃについても第１太陽熱利用給湯システム１０ａと同様に、第１〜第７温度センサ１８ａ〜１８ｇが設けられており、第２及び第３太陽熱利用給湯システム１０ｂ，１０ｃの制御盤１９は、第１〜第７温度センサ１８ａ〜１８ｇの信号に基づいて、各弁１４，１７の開閉、並びに第２及び第３集熱ポンプ１５ｂ，１５ｃの駆動及び停止を制御する。
【００４７】
加えて、マルチ太陽熱利用給湯システム１は、メインコントローラ５０を備えている。メインコントローラ５０は、例えば家庭内に設けられ、出湯温度（設定温度）の変更操作を受け付けるものである。
【００４８】
さらに、本実施形態に係るマルチ太陽熱利用給湯システム１は、図１に示すように、第２配管６０を備えている。第２配管６０は、各太陽熱利用給湯システム１０の各第１配管１３同士を接続するものである。この第２配管６０により、各太陽熱利用給湯システム１０の貯湯槽１１の熱媒は、他の太陽熱利用給湯システム１０の集熱パネル１２と循環可能となる。
【００４９】
詳細に第２配管６０は、行き配管６０ａと戻り配管６０ｂとから構成されている。行き配管６０ａは、熱交換器１１ｄにて湯水を加熱することにより温度が低下した熱媒が流れる配管であって、熱媒を他の太陽熱利用給湯システム１０の集熱パネル１２に供給するために設けられている。戻り配管６０ｂは、集熱パネル１２にて加熱された熱媒が流れる配管であって、熱媒を他の太陽熱利用給湯システム１０の熱交換器１１ｄに供給するために設けられている。
【００５０】
より具体的に、行き配管６０ａの一端は、第１太陽熱温水器１０ａの行き配管１３ａのうち熱交換器１１ｄと第１集熱ポンプ１５ａとの間に接続されている（符号Ａ参照）。一方、行き配管６０ａの他端は、第３太陽熱温水器１０ｃの行き配管１３ａのうち熱交換器１１ｄと第３集熱ポンプ１５ｃとの間に接続されている（符号Ｂ参照）。さらに、行き配管６０ａは、途中の接続点Ｃにおいて分岐しており、分岐先は、第２太陽熱温水器１０ｂの行き配管１３ａのうち熱交換器１１ｄと第２集熱ポンプ１５ｂとの間に接続されている（符号Ｄ参照）。
【００５１】
また、戻り配管６０ｂの一端は、第３太陽熱温水器１０ｃの戻り配管１３ｂのうち第７温度センサ１８ｇ（図１において図示を省略）と第３循環制御弁１４ｃとの間に接続されている（符号Ｅ参照）。一方、戻り配管６０ｂの他端は、第１太陽熱温水器１０ａの戻り配管１３ｂのうち第７温度センサ１８ｇ（図１において図示を省略）と第１循環制御弁１４ａとの間に接続されている（符号Ｆ参照）。さらに、戻り配管６０ｂは、途中の接続点Ｇにおいて、第２太陽熱温水器１０ｂの戻り配管１３ｂのうち第７温度センサ１８ｇ（図１において図示を省略）と第２循環制御弁１４ｂとの間に接続されている。
【００５２】
以上の構成により、本実施形態に係るマルチ太陽熱利用給湯システム１は、例えば第１太陽熱利用給湯システム１０ａの貯湯槽１１を通過した熱媒を、第２及び第３太陽熱利用給湯システム１０ｂ，１０ｃの第２及び第３集熱パネル１２ｂ，１２ｃにも供給可能となり、日射量が少ない場合であっても他の太陽熱利用給湯システム１０の集熱パネル１２を利用して、貯湯槽１１の湯水の温度をより一層上昇させることができる。
【００５３】
再度、図２を参照する。また、メインコントローラ５０は、温度優先モードと、熱量優先モードとを切替可能となっている。温度優先モードとは、１の太陽熱利用給湯システム１０について循環制御弁１４を開けると共に、他の太陽熱利用給湯システム１０について循環制御弁１４を閉じるモードである。この温度優先モードでは、第２配管６０を通じて熱媒を循環させることとなり、日射量が少ない場合であっても、貯湯槽１１内の湯水の温度を設定温度又は設定温度に近い温度まで上昇させることができる。一方、熱量優先モードとは、各太陽熱利用給湯システム１０それぞれについて循環制御弁１４を開けるモードである。この熱量優先モードでは、各太陽熱利用給湯システム１０の貯湯槽１１と各太陽熱利用給湯システム１０の集熱パネル１２とで熱媒が循環することとなり、貯湯槽１１内の湯水の温度を均一に上昇させることができる。ここで、貯湯槽１１内の湯水が高温となると放熱量が高くなってしまう。また、熱媒は温度が低い方が、集熱効率が高いことが知られている。このため、熱量優先モードは、熱効率が良いモードといえる。
【００５４】
次に、本実施形態に係るマルチ太陽熱利用給湯システム１の制御方法について説明する。図３は、本実施形態に係るマルチ太陽熱利用給湯システム１の制御方法を示すフローチャートであって、貯湯槽１１内の温水量を判定する処理を示している。なお、図３においては、第１貯湯槽１１ａ内の温水量を判定する処理のみを例示して説明するが、第２及び第３貯湯槽１１ｂ，１１ｃ内の温水量を判定する処理についても同様である。
【００５５】
まず、図３に示すように、第１太陽熱利用給湯システム１０ａの制御盤１９は、第５温度センサ１８ｅからの信号に基づいて、第１貯湯槽１１ａの最下部の湯水温度ＴＬ１が設定温度Ｔｓｅｔ１以上であるか否かを判断する（Ｓ１）。第１貯湯槽１１ａの最下部の湯水温度ＴＬ１が設定温度Ｔｓｅｔ１以上であると判断した場合（Ｓ１：ＹＥＳ）、制御盤１９は、第１貯湯槽１１ａ内における設定温度Ｔｓｅｔ１以上の温水が満量であると判断し（Ｓ２）、処理はステップＳ１に移行する。
【００５６】
一方、第１貯湯槽１１ａの最下部の湯水温度ＴＬ１が設定温度Ｔｓｅｔ１以上でないと判断した場合（Ｓ１：ＮＯ）、制御盤１９は、第１温度センサ１８ａからの信号に基づいて、第１貯湯槽１１ａの最上部の湯水温度ＴＨ１が設定温度Ｔｓｅｔ１以上であるか否かを判断する（Ｓ３）。第１貯湯槽１１ａの最上部の湯水温度ＴＨ１が設定温度Ｔｓｅｔ１以上であると判断した場合（Ｓ３：ＹＥＳ）、制御盤１９は、第１貯湯槽１１ａ内に設定温度Ｔｓｅｔ１以上の温水があると判断し（Ｓ４）、処理はステップＳ１に移行する。
【００５７】
一方、第１貯湯槽１１ａの最上部の湯水温度ＴＨ１が設定温度Ｔｓｅｔ１以上でないと判断した場合（Ｓ３：ＮＯ）、制御盤１９は、第１貯湯槽１１ａ内に設定温度Ｔｓｅｔ１以上の温水が無いと判断し（Ｓ５）、処理はステップＳ１に移行する。
【００５８】
なお、図３に示した処理は第１太陽熱利用給湯システム１０ａの電源がオフされるまで繰り返し実行される。また、第２及び第３貯湯槽１１ｂ，１１ｃの温水量についても、最下部の湯水温度ＴＬ２，ＴＬ３、最上部の湯水温度ＴＨ２，ＴＨ３、及び設定温度Ｔｓｅｔ２，Ｔｓｅｔ３に基づいて、同様に判断される。
【００５９】
図４は、本実施形態に係るマルチ太陽熱利用給湯システム１の制御方法を示すフローチャートであって、出湯を制御する処理を示している。なお、図４に示す処理において、温度優先モードでは、第１貯湯槽１１ａ内の湯水が優先的に加熱されているものとする。さらに、図４において貯湯槽１とは第１貯湯槽１１ａを示し、貯湯槽２とは第２貯湯槽１１ｂを示し、貯湯槽３とは第３貯湯槽１１ｃを示すものとする。さらに、図４において出湯制御弁１とは第１出湯制御弁１７ａを示し、出湯制御弁２とは第２出湯制御弁１７ｂを示し、出湯制御弁３とは第３出湯制御弁１７ｃを示すものとする。
【００６０】
図４に示すように、まず、各制御盤１９は、現在温度優先モードに設定されているか、熱量優先モードに設定されているかを判断する（Ｓ１１）。熱量優先モードに設定されていると判断した場合（Ｓ１１：熱量優先モード）、各太陽熱利用給湯システム１０の制御盤１９は、それぞれの出湯制御弁１７を開ける（Ｓ１２）。これは、熱量優先モードにおいて各貯湯槽１１内の湯水の温度が同じであると推定できるためである。そして、処理はステップＳ１１に移行する。
【００６１】
一方、温度優先モードに設定されていると判断した場合（Ｓ１１：温度優先モード）、第１太陽熱利用給湯システム１０ａの制御盤１９は、第１貯湯槽１１ａ内に温水が満量であるか又は温水があるか否かを判断する（Ｓ１３）。第１貯湯槽１１ａ内に温水が満量である、又は温水があると判断した場合（Ｓ１３：ＹＥＳ）、第１太陽熱利用給湯システム１０ａの制御盤１９は、第１出湯制御弁１７ａを開ける（Ｓ１４）。また、第２及び第３太陽熱利用給湯システム１０ｂ，１０ｃの制御盤１９は、第２及び第３出湯制御弁１７ｂ，１７ｃを開けず閉じた状態を維持する（Ｓ１４）。これにより、第１太陽熱利用給湯システム１０ａからユーザが望む温度の湯水をユーザ側に提供できることとなる。そして、処理はステップＳ１１に移行する。
【００６２】
一方、第１貯湯槽１１ａ内に温水が満量でなく、且つ、温水がないと判断した場合（Ｓ１３：ＮＯ）、第２太陽熱利用給湯システム１０ｂの制御盤１９は、第２貯湯槽１１ｂ内に温水が満量であるか又は温水があるか否かを判断する（Ｓ１５）。第２貯湯槽１１ｂ内に温水が満量である、又は温水があると判断した場合（Ｓ１５：ＹＥＳ）、第２太陽熱利用給湯システム１０ｂの制御盤１９は、第２出湯制御弁１７ｂを開ける（Ｓ１６）。また、第１及び第３太陽熱利用給湯システム１０ａ，１０ｃの制御盤１９は、第１及び第３出湯制御弁１７ａ，１７ｃを開けず閉じた状態を維持する（Ｓ１６）。これにより、第２太陽熱利用給湯システム１０ｂからユーザが望む温度の湯水をユーザ側に提供できることとなる。そして、処理はステップＳ１１に移行する。
【００６３】
一方、第２貯湯槽１１ｂ内に温水が満量でなく、且つ、温水がないと判断した場合（Ｓ１５：ＮＯ）、第３太陽熱利用給湯システム１０ｃの制御盤１９は、第３貯湯槽１１ｃ内に温水が満量であるか又は温水があるか否かを判断する（Ｓ１７）。第３貯湯槽１１ｃ内に温水が満量である、又は温水があると判断した場合（Ｓ１７：ＹＥＳ）、第３太陽熱利用給湯システム１０ｃの制御盤１９は、第３出湯制御弁１７ｃを開ける（Ｓ１８）。また、第１及び第２太陽熱利用給湯システム１０ａ，１０ｂの制御盤１９は、第１及び第２出湯制御弁１７ａ，１７ｂを開けず閉じた状態を維持する（Ｓ１８）。これにより、第３太陽熱利用給湯システム１０ｃからユーザが望む温度の湯水をユーザ側に提供できることとなる。そして、処理はステップＳ１１に移行する。
【００６４】
一方、第３貯湯槽１１ｃ内に温水が満量でなく、且つ、温水がないと判断した場合（Ｓ１７：ＮＯ）、第１太陽熱利用給湯システム１０ａの制御盤１９は第１出湯制御弁１７ａを開け、第２及び第３太陽熱利用給湯システム１０ｂ，１０ｃの制御盤１９は第２及び第３出湯制御弁１７ｂ，１７ｃを開けず閉じた状態を維持する（Ｓ１９）。ここで、図４に示す例では、第１貯湯槽１１ａ内の湯水が優先的に加熱されている。このため、マルチ太陽熱利用給湯システム１は、第１出湯制御弁１７ａのみを開け、より温度が高い湯水をユーザ側に提供して、後段における追い焚き量がなるべく少なくなるようにする。そして、処理はステップＳ１１に移行する。
【００６５】
なお、図４に示した処理はマルチ太陽熱利用給湯システム１の電源がオフされるまで繰り返し実行される。また、図４に示すステップＳ１９では、第１貯湯槽１１ａ内の湯水が優先的に加熱されているため、第１出湯制御弁１７ａのみが開けられている。しかし、第２又は第３貯湯槽１１ｂ，１１ｃ内の湯水が優先的に加熱されている場合には、第２又は第３出湯制御弁１７ｂ，１７ｃのみが開けられることとなる。
【００６６】
次に、貯湯制御方法について説明する。図５は、本実施形態に係るマルチ太陽熱利用給湯システム１の制御方法を示すフローチャートであって、貯湯制御方法を示す第１のフローチャートである。なお、図５において、集熱ポンプ１とは第１集熱ポンプ１５ａを示し、集熱ポンプ２とは第２集熱ポンプ１５ｂを示し、集熱ポンプ３とは第３集熱ポンプ１５ｃを示すものとする。さらに、図５において循環制御弁１とは第１循環制御弁１４ａを示し、循環制御弁２とは第２循環制御弁１４ｂを示し、循環制御弁３とは第３循環制御弁１４ｃを示すものとする。
【００６７】
まず、各制御盤１９は、現在温度優先モードに設定されているか、熱量優先モードに設定されているかを判断する（Ｓ２１）。温度優先モードに設定されていると判断した場合（Ｓ２１：温度優先モード）、処理は図６に示すものに移行する。
【００６８】
一方、熱量優先モードに設定されていると判断した場合（Ｓ２１：熱量優先モード）、第１太陽熱利用給湯システム１０ａの制御盤１９は、第１太陽熱利用給湯システム１０ａの第６温度センサ１８ｆ及び第５温度センサ１８ｅからの信号を読み込んで、第１集熱パネル１２ａ内の熱媒温度ＴＰＡ１と第１貯湯槽１１ａにおける最下部の湯水温度ＴＬ１との差温が大きいか（所定温度ｔ１以上か）否かを判断する（Ｓ２２）。
【００６９】
第１集熱パネル１２ａ内の熱媒温度ＴＰＡ１と第１貯湯槽１１ａにおける最下部の湯水温度ＴＬ１との差温が所定温度ｔ１以上であると判断した場合（Ｓ２２：ＹＥＳ）、熱媒循環により第１貯湯槽１１ａ内の湯水を効率良く加熱できることから、第１太陽熱利用給湯システム１０ａの制御盤１９は、第１集熱ポンプ１５ａを駆動させると共に第１循環制御弁１４ａを開ける（Ｓ２３）。これにより、第１貯湯槽１１ａ内における湯水の温度を上昇させることとなる。そして、処理はステップＳ２５に移行する。
【００７０】
一方、第１集熱パネル１２ａ内の熱媒温度ＴＰＡ１と第１貯湯槽１１ａにおける最下部の湯水温度ＴＬ１との差温が所定温度ｔ１以上でないと判断した場合（Ｓ２２：ＮＯ）、熱媒循環により第１貯湯槽１１ａ内の湯水をあまり加熱できないことから、第１太陽熱利用給湯システム１０ａの制御盤１９は、第１集熱ポンプ１５ａを停止させると共に第１循環制御弁１４ａを閉じる（Ｓ２４）。そして、処理はステップＳ２５に移行する。
【００７１】
ステップＳ２５において、第２太陽熱利用給湯システム１０ｂの制御盤１９は、第２太陽熱利用給湯システム１０ｂの第６温度センサ１８ｆ及び第５温度センサ１８ｅからの信号を読み込んで、第２集熱パネル１２ｂ内の熱媒温度ＴＰＡ２と第２貯湯槽１１ｂにおける最下部の湯水温度ＴＬ２との差温が大きいか（所定温度ｔ１以上か）否かを判断する（Ｓ２５）。
【００７２】
第２集熱パネル１２ｂ内の熱媒温度ＴＰＡ２と第２貯湯槽１１ｂにおける最下部の湯水温度ＴＬ２との差温が所定温度ｔ１以上であると判断した場合（Ｓ２５：ＹＥＳ）、熱媒循環により第２貯湯槽１１ｂ内の湯水を効率良く加熱できることから、第２太陽熱利用給湯システム１０ｂの制御盤１９は、第２集熱ポンプ１５ｂを駆動させると共に第２循環制御弁１４ｂを開ける（Ｓ２６）。これにより、第２貯湯槽１１ｂ内における湯水の温度を上昇させることとなる。そして、処理はステップＳ２８に移行する。
【００７３】
一方、第２集熱パネル１２ｂ内の熱媒温度ＴＰＡ２と第２貯湯槽１１ｂにおける最下部の湯水温度ＴＬ２との差温が所定温度ｔ１以上でないと判断した場合（Ｓ２５：ＮＯ）、熱媒循環により第２貯湯槽１１ｂ内の湯水をあまり加熱できないことから、第２太陽熱利用給湯システム１０ｂの制御盤１９は、第２集熱ポンプ１５ｂを停止させると共に第２循環制御弁１４ｂを閉じる（Ｓ２７）。そして、処理はステップＳ２８に移行する。
【００７４】
ステップＳ２８において、第３太陽熱利用給湯システム１０ｃの制御盤１９は、第３太陽熱利用給湯システム１０ｃの第６温度センサ１８ｆ及び第５温度センサ１８ｅからの信号を読み込んで、第３集熱パネル１２ｃ内の熱媒温度ＴＰＡ３と第３貯湯槽１１ｃにおける最下部の湯水温度ＴＬ３との差温が大きいか（所定温度ｔ１以上か）否かを判断する（Ｓ２８）。
【００７５】
第３集熱パネル１２ｃ内の熱媒温度ＴＰＡ３と第３貯湯槽１１ｃにおける最下部の湯水温度ＴＬ３との差温が所定温度ｔ１以上であると判断した場合（Ｓ２８：ＹＥＳ）、熱媒循環により第３貯湯槽１１ｃ内の湯水を効率良く加熱できることから、第３太陽熱利用給湯システム１０ｃの制御盤１９は、第３集熱ポンプ１５ｃを駆動させると共に第３循環制御弁１４ｃを開ける（Ｓ２９）。これにより、第３貯湯槽１１ｃ内における湯水の温度を上昇させることとなる。そして、処理はステップＳ２１に移行する。
【００７６】
一方、第３集熱パネル１２ｃ内の熱媒温度ＴＰＡ３と第３貯湯槽１１ｃにおける最下部の湯水温度ＴＬ３との差温が所定温度ｔ１以上でないと判断した場合（Ｓ２８：ＮＯ）、熱媒循環により第３貯湯槽１１ｃ内の湯水をあまり加熱できないことから、第３太陽熱利用給湯システム１０ｃの制御盤１９は、第３集熱ポンプ１５ｃを停止させると共に第３循環制御弁１４ｃを閉じる（Ｓ３０）。そして、処理はステップＳ２１に移行する。
【００７７】
なお、図５に示した処理はマルチ太陽熱利用給湯システム１の電源がオフされるまで繰り返し実行される。
【００７８】
図６は、本実施形態に係るマルチ太陽熱利用給湯システム１の制御方法を示すフローチャートであって、貯湯制御方法を示す第２のフローチャートである。なお、図６において、集熱ポンプ１とは第１集熱ポンプ１５ａを示し、集熱ポンプ２とは第２集熱ポンプ１５ｂを示し、集熱ポンプ３とは第３集熱ポンプ１５ｃを示すものとする。さらに、図６において循環制御弁１とは第１循環制御弁１４ａを示し、循環制御弁２とは第２循環制御弁１４ｂを示し、循環制御弁３とは第３循環制御弁１４ｃを示すものとする。
【００７９】
まず、図６に示すように、第１太陽熱利用給湯システム１０ａの制御盤１９は、第１太陽熱利用給湯システム１０ａの第５温度センサ１８ｅからの信号に基づいて、第１貯湯槽１１ａにおける最下部の湯水温度ＴＬ１が設定温度Ｔｓｅｔ１未満であるか否かを判断する（Ｓ３１）。第１貯湯槽１１ａにおける最下部の湯水温度ＴＬ１が設定温度Ｔｓｅｔ１未満でないと判断した場合（Ｓ３１：ＮＯ）、制御盤１９は、第１貯湯槽１１ａ内において設定温度Ｔｓｅｔ１以上の温水が満量であると判断し、処理は図７に示すものに移行する。
【００８０】
一方、第１貯湯槽１１ａにおける最下部の湯水温度ＴＬ１が設定温度Ｔｓｅｔ１未満であると判断した場合（Ｓ３１：ＹＥＳ）、制御盤１９は、第１貯湯槽１１ａ内における設定温度Ｔｓｅｔ１以上の温水が満量でないと判断する。そして、第１太陽熱利用給湯システム１０ａの制御盤１９は第１循環制御弁１４ａを開け、第２及び第３太陽熱利用給湯システム１０ｂ，１０ｃの制御盤１９は第２及び第３循環制御弁１４ｂ，１４ｃを閉じた状態を維持する（Ｓ３２）。これにより、熱媒が第１貯湯槽１１ａのみに供給されるようにすることができる。
【００８１】
次いで、第１太陽熱利用給湯システム１０ａの制御盤１９は、第１集熱パネル１２ａ内の熱媒温度ＴＰＡ１と第１貯湯槽１１ａにおける最下部の湯水温度ＴＬ１との差温が大きいか（所定温度ｔ１以上か）否かを判断する（Ｓ３３）。
【００８２】
第１集熱パネル１２ａ内の熱媒温度ＴＰＡ１と第１貯湯槽１１ａにおける最下部の湯水温度ＴＬ１との差温が所定温度ｔ１以上であると判断した場合（Ｓ３３：ＹＥＳ）、第１集熱パネル１２ａとの熱媒循環により第１貯湯槽１１ａ内における湯水を効率良く加熱できることから、第１太陽熱利用給湯システム１０ａの制御盤１９は、第１集熱ポンプ１５ａを駆動させる（Ｓ３４）。これにより、第１貯湯槽１１ａ内における湯水の温度を上昇させることとなる。そして、処理はステップＳ３６に移行する。
【００８３】
一方、第１集熱パネル１２ａ内の熱媒温度ＴＰＡ１と第１貯湯槽１１ａにおける最下部の湯水温度ＴＬ１との差温が所定温度ｔ１以上でないと判断した場合（Ｓ３３：ＮＯ）、第１集熱パネル１２ａと熱媒循環を行っても第１貯湯槽１１ａ内における湯水をあまり加熱できないことから、第１太陽熱利用給湯システム１０ａの制御盤１９は、第１集熱ポンプ１５ａを駆動させない（Ｓ３５）。そして、処理はステップＳ３６に移行する。
【００８４】
ステップＳ３６において、第２太陽熱利用給湯システム１０ｂの制御盤１９は、第２集熱パネル１２ｂ内の熱媒温度ＴＰＡ２と第１貯湯槽１１ａにおける最下部の湯水温度ＴＬ１との差温が大きいか（所定温度ｔ１以上か）否かを判断する（Ｓ３６）。
【００８５】
第２集熱パネル１２ｂ内の熱媒温度ＴＰＡ２と第１貯湯槽１１ａにおける最下部の湯水温度ＴＬ１との差温が所定温度ｔ１以上であると判断した場合（Ｓ３６：ＹＥＳ）、第２集熱パネル１２ｂとの熱媒循環により第１貯湯槽１１ａ内における湯水を効率良く加熱できることから、第２太陽熱利用給湯システム１０ｂの制御盤１９は、第２集熱ポンプ１５ｂを駆動させる（Ｓ３７）。これにより、第１貯湯槽１１ａ内における湯水の温度を上昇させることとなる。そして、処理はステップＳ３９に移行する。
【００８６】
一方、第２集熱パネル１２ｂ内の熱媒温度ＴＰＡ２と第１貯湯槽１１ａにおける最下部の湯水温度ＴＬ１との差温が所定温度ｔ１以上でないと判断した場合（Ｓ３６：ＮＯ）、第２集熱パネル１２ｂと熱媒循環を行っても第１貯湯槽１１ａ内における湯水をあまり加熱できないことから、第２太陽熱利用給湯システム１０ｂの制御盤１９は、第２集熱ポンプ１５ｂを駆動させない（Ｓ３８）。そして、処理はステップＳ３９に移行する。
【００８７】
ステップＳ３９において、第３太陽熱利用給湯システム１０ｃの制御盤１９は、第３集熱パネル１２ｃ内の熱媒温度ＴＰＡ３と第１貯湯槽１１ａにおける最下部の湯水温度ＴＬ１との差温が大きいか（所定温度ｔ１以上か）否かを判断する（Ｓ３９）。
【００８８】
第３集熱パネル１２ｃ内の熱媒温度ＴＰＡ３と第１貯湯槽１１ａにおける最下部の湯水温度ＴＬ１との差温が所定温度ｔ１以上であると判断した場合（Ｓ３９：ＹＥＳ）、第３集熱パネル１２ｃとの熱媒循環により第１貯湯槽１１ａ内における湯水を効率良く加熱できることから、第３太陽熱利用給湯システム１０ｃの制御盤１９は、第３集熱ポンプ１５ｃを駆動させる（Ｓ４０）。これにより、第１貯湯槽１１ａ内における湯水の温度を上昇させることとなる。そして、処理は図５のステップＳ２１に移行する。
【００８９】
一方、第３集熱パネル１２ｃ内の熱媒温度ＴＰＡ３と第１貯湯槽１１ａにおける最下部の湯水温度ＴＬ１との差温が所定温度ｔ１以上でないと判断した場合（Ｓ３９：ＮＯ）、第３集熱パネル１２ｃと熱媒循環を行っても第１貯湯槽１１ａ内における湯水をあまり加熱できないことから、第３太陽熱利用給湯システム１０ｃの制御盤１９は、第３集熱ポンプ１５ｃを駆動させない（Ｓ４１）。そして、処理は図５のステップＳ２１に移行する。
【００９０】
なお、図６に示した処理はマルチ太陽熱利用給湯システム１の電源がオフされるまで繰り返し実行される。また、第２及び第３太陽熱利用給湯システム１０ｂ，１０ｃは、自己の制御盤１９と第１太陽熱利用給湯システム１０ａの制御盤１９との通信により、第１太陽熱利用給湯システム１０ａの第５温度センサ１８ｅから温度信号を入力することはいうまでもない。
【００９１】
図７は、本実施形態に係るマルチ太陽熱利用給湯システム１の制御方法を示すフローチャートであって、貯湯制御方法を示す第３のフローチャートである。なお、図７において、集熱ポンプ１とは第１集熱ポンプ１５ａを示し、集熱ポンプ２とは第２集熱ポンプ１５ｂを示し、集熱ポンプ３とは第３集熱ポンプ１５ｃを示すものとする。さらに、図７において循環制御弁１とは第１循環制御弁１４ａを示し、循環制御弁２とは第２循環制御弁１４ｂを示し、循環制御弁３とは第３循環制御弁１４ｃを示すものとする。
【００９２】
まず、図７に示すように、第２太陽熱利用給湯システム１０ｂの制御盤１９は、第２太陽熱利用給湯システム１０ｂの第５温度センサ１８ｅからの信号に基づいて、第２貯湯槽１１ｂにおける最下部の湯水温度ＴＬ２が設定温度Ｔｓｅｔ２未満であるか否かを判断する（Ｓ５１）。第２貯湯槽１１ｂにおける最下部の湯水温度ＴＬ２が設定温度Ｔｓｅｔ２未満でないと判断した場合（Ｓ５１：ＮＯ）、制御盤１９は、第２貯湯槽１１ｂ内において設定温度Ｔｓｅｔ２以上の温水が満量であると判断し、処理は図８に示すものに移行する。
【００９３】
一方、第２貯湯槽１１ｂにおける最下部の湯水温度ＴＬ２が設定温度Ｔｓｅｔ２未満であると判断した場合（Ｓ５１：ＹＥＳ）、制御盤１９は、第２貯湯槽１１ｂ内における設定温度Ｔｓｅｔ２以上の温水が満量でないと判断する。そして、第２太陽熱利用給湯システム１０ｂの制御盤１９は第２循環制御弁１４ｂを開け、第１及び第３太陽熱利用給湯システム１０ａ，１０ｃの制御盤１９は第１及び第３循環制御弁１４ａ，１４ｃを閉じた状態を維持する（Ｓ５２）。これにより、熱媒が第２貯湯槽１１ｂのみに供給されるようにすることができる。
【００９４】
次いで、第１太陽熱利用給湯システム１０ａの制御盤１９は、第１集熱パネル１２ａ内の熱媒温度ＴＰＡ１と第２貯湯槽１１ｂにおける最下部の湯水温度ＴＬ２との差温が大きいか（所定温度ｔ１以上か）否かを判断する（Ｓ５３）。
【００９５】
第１集熱パネル１２ａ内の熱媒温度ＴＰＡ１と第２貯湯槽１１ｂにおける最下部の湯水温度ＴＬ２との差温が所定温度ｔ１以上であると判断した場合（Ｓ５３：ＹＥＳ）、第１集熱パネル１２ａとの熱媒循環により第２貯湯槽１１ｂ内における湯水を効率良く加熱できることから、第１太陽熱利用給湯システム１０ａの制御盤１９は、第１集熱ポンプ１５ａを駆動させる（Ｓ５４）。これにより、第２貯湯槽１１ｂ内における湯水の温度を上昇させることとなる。そして、処理はステップＳ５６に移行する。
【００９６】
一方、第１集熱パネル１２ａ内の熱媒温度ＴＰＡ１と第２貯湯槽１１ｂにおける最下部の湯水温度ＴＬ２との差温が所定温度ｔ１以上でないと判断した場合（Ｓ５３：ＮＯ）、第１集熱パネル１２ａと熱媒循環を行っても第２貯湯槽１１ｂ内における湯水をあまり加熱できないことから、第１太陽熱利用給湯システム１０ａの制御盤１９は、第１集熱ポンプ１５ａを駆動させない（Ｓ５５）。そして、処理はステップＳ５６に移行する。
【００９７】
ステップＳ５６において、第２太陽熱利用給湯システム１０ｂの制御盤１９は、第２集熱パネル１２ｂ内の熱媒温度ＴＰＡ２と第２貯湯槽１１ｂにおける最下部の湯水温度ＴＬ２との差温が大きいか（所定温度ｔ１以上か）否かを判断する（Ｓ５６）。
【００９８】
第２集熱パネル１２ｂ内の熱媒温度ＴＰＡ２と第２貯湯槽１１ｂにおける最下部の湯水温度ＴＬ２との差温が所定温度ｔ１以上であると判断した場合（Ｓ５６：ＹＥＳ）、第２集熱パネル１２ｂとの熱媒循環により第２貯湯槽１１ｂ内における湯水を効率良く加熱できることから、第２太陽熱利用給湯システム１０ｂの制御盤１９は、第２集熱ポンプ１５ｂを駆動させる（Ｓ５７）。これにより、第２貯湯槽１１ｂ内における湯水の温度を上昇させることとなる。そして、処理はステップＳ５９に移行する。
【００９９】
一方、第２集熱パネル１２ｂ内の熱媒温度ＴＰＡ２と第２貯湯槽１１ｂにおける最下部の湯水温度ＴＬ２との差温が所定温度ｔ１以上でないと判断した場合（Ｓ５６：ＮＯ）、第２集熱パネル１２ｂと熱媒循環を行っても第２貯湯槽１１ｂ内における湯水をあまり加熱できないことから、第２太陽熱利用給湯システム１０ｂの制御盤１９は、第２集熱ポンプ１５ｂを駆動させない（Ｓ５８）。そして、処理はステップＳ５９に移行する。
【０１００】
ステップＳ５９において、第３太陽熱利用給湯システム１０ｃの制御盤１９は、第３集熱パネル１２ｃ内の熱媒温度ＴＰＡ３と第２貯湯槽１１ｂにおける最下部の湯水温度ＴＬ２との差温が大きいか（所定温度ｔ１以上か）否かを判断する（Ｓ５９）。
【０１０１】
第３集熱パネル１２ｃ内の熱媒温度ＴＰＡ３と第２貯湯槽１１ｂにおける最下部の湯水温度ＴＬ２との差温が所定温度ｔ１以上であると判断した場合（Ｓ５９：ＹＥＳ）、第３集熱パネル１２ｃとの熱媒循環により第２貯湯槽１１ｂ内における湯水を効率良く加熱できることから、第３太陽熱利用給湯システム１０ｃの制御盤１９は、第３集熱ポンプ１５ｃを駆動させる（Ｓ６０）。これにより、第２貯湯槽１１ｂ内における湯水の温度を上昇させることとなる。そして、処理は図５のステップＳ２１に移行する。
【０１０２】
一方、第３集熱パネル１２ｃ内の熱媒温度ＴＰＡ３と第２貯湯槽１１ｂにおける最下部の湯水温度ＴＬ２との差温が所定温度ｔ１以上でないと判断した場合（Ｓ５９：ＮＯ）、第３集熱パネル１２ｃと熱媒循環を行っても第２貯湯槽１１ｂ内における湯水をあまり加熱できないことから、第３太陽熱利用給湯システム１０ｃの制御盤１９は、第３集熱ポンプ１５ｃを駆動させない（Ｓ６１）。そして、処理は図５のステップＳ２１に移行する。
【０１０３】
なお、図７に示した処理はマルチ太陽熱利用給湯システム１の電源がオフされるまで繰り返し実行される。また、第１及び第３太陽熱利用給湯システム１０ａ，１０ｃは、自己の制御盤１９と第２太陽熱利用給湯システム１０ｂの制御盤１９との通信により、第２太陽熱利用給湯システム１０ｂの第５温度センサ１８ｅから温度信号を入力することはいうまでもない。
【０１０４】
図８は、本実施形態に係るマルチ太陽熱利用給湯システム１の制御方法を示すフローチャートであって、貯湯制御方法を示す第４のフローチャートである。なお、図８において、集熱ポンプ１とは第１集熱ポンプ１５ａを示し、集熱ポンプ２とは第２集熱ポンプ１５ｂを示し、集熱ポンプ３とは第３集熱ポンプ１５ｃを示すものとする。さらに、図８において循環制御弁１とは第１循環制御弁１４ａを示し、循環制御弁２とは第２循環制御弁１４ｂを示し、循環制御弁３とは第３循環制御弁１４ｃを示すものとする。
【０１０５】
まず、図８に示すように、第３太陽熱利用給湯システム１０ｃの制御盤１９は、第３太陽熱利用給湯システム１０ｃの第５温度センサ１８ｅからの信号に基づいて、第３貯湯槽１１ｃにおける最下部の湯水温度ＴＬ３が設定温度Ｔｓｅｔ３未満であるか否かを判断する（Ｓ７１）。
【０１０６】
第３貯湯槽１１ｃにおける最下部の湯水温度ＴＬ３が設定温度Ｔｓｅｔ３未満であると判断した場合（Ｓ７１：ＹＥＳ）、制御盤１９は、第３貯湯槽１１ｃ内における設定温度Ｔｓｅｔ３以上の温水が満量でないと判断する。そして、第３太陽熱利用給湯システム１０ｃの制御盤１９は第３循環制御弁１４ｃを開け、第１及び第２太陽熱利用給湯システム１０ａ，１０ｂの制御盤１９は第１及び第２循環制御弁１４ａ，１４ｂを閉じた状態を維持する（Ｓ５２）。これにより、熱媒が第３貯湯槽１１ｃのみに供給されるようにすることができる。
【０１０７】
次いで、第１太陽熱利用給湯システム１０ａの制御盤１９は、第１集熱パネル１２ａ内の熱媒温度ＴＰＡ１と第３貯湯槽１１ｃにおける最下部の湯水温度ＴＬ３との差温が大きいか（所定温度ｔ１以上か）否かを判断する（Ｓ７３）。
【０１０８】
第１集熱パネル１２ａ内の熱媒温度ＴＰＡ１と第３貯湯槽１１ｃにおける最下部の湯水温度ＴＬ３との差温が所定温度ｔ１以上であると判断した場合（Ｓ７３：ＹＥＳ）、第１集熱パネル１２ａとの熱媒循環により第３貯湯槽１１ｃ内における湯水を効率良く加熱できることから、第１太陽熱利用給湯システム１０ａの制御盤１９は、第１集熱ポンプ１５ａを駆動させる（Ｓ７４）。これにより、第３貯湯槽１１ｃ内における湯水の温度を上昇させることとなる。そして、処理はステップＳ７６に移行する。
【０１０９】
一方、第１集熱パネル１２ａ内の熱媒温度ＴＰＡ１と第３貯湯槽１１ｃにおける最下部の湯水温度ＴＬ３との差温が所定温度ｔ１以上でないと判断した場合（Ｓ７３：ＮＯ）、第１集熱パネル１２ａと熱媒循環を行っても第３貯湯槽１１ｃ内における湯水をあまり加熱できないことから、第１太陽熱利用給湯システム１０ａの制御盤１９は、第１集熱ポンプ１５ａを駆動させない（Ｓ７５）。そして、処理はステップＳ７６に移行する。
【０１１０】
ステップＳ７６において、第２太陽熱利用給湯システム１０ｂの制御盤１９は、第２集熱パネル１２ｂ内の熱媒温度ＴＰＡ２と第３貯湯槽１１ｃにおける最下部の湯水温度ＴＬ３との差温が大きいか（所定温度ｔ１以上か）否かを判断する（Ｓ７６）。
【０１１１】
第２集熱パネル１２ｂ内の熱媒温度ＴＰＡ２と第３貯湯槽１１ｃにおける最下部の湯水温度ＴＬ３との差温が所定温度ｔ１以上であると判断した場合（Ｓ７６：ＹＥＳ）、第２集熱パネル１２ｂとの熱媒循環により第３貯湯槽１１ｃ内における湯水を効率良く加熱できることから、第２太陽熱利用給湯システム１０ｂの制御盤１９は、第２集熱ポンプ１５ｂを駆動させる（Ｓ７７）。これにより、第３貯湯槽１１ｃ内における湯水の温度を上昇させることとなる。そして、処理はステップＳ７９に移行する。
【０１１２】
一方、第２集熱パネル１２ｂ内の熱媒温度ＴＰＡ２と第３貯湯槽１１ｃにおける最下部の湯水温度ＴＬ３との差温が所定温度ｔ１以上でないと判断した場合（Ｓ７６：ＮＯ）、第２集熱パネル１２ｂと熱媒循環を行っても第３貯湯槽１１ｃ内における湯水をあまり加熱できないことから、第２太陽熱利用給湯システム１０ｂの制御盤１９は、第２集熱ポンプ１５ｂを駆動させない（Ｓ７８）。そして、処理はステップＳ７９に移行する。
【０１１３】
ステップＳ７９において、第３太陽熱利用給湯システム１０ｃの制御盤１９は、第３集熱パネル１２ｃ内の熱媒温度ＴＰＡ３と第３貯湯槽１１ｃにおける最下部の湯水温度ＴＬ３との差温が大きいか（所定温度ｔ１以上か）否かを判断する（Ｓ７９）。
【０１１４】
第３集熱パネル１２ｃ内の熱媒温度ＴＰＡ３と第３貯湯槽１１ｃにおける最下部の湯水温度ＴＬ３との差温が所定温度ｔ１以上であると判断した場合（Ｓ７９：ＹＥＳ）、第３集熱パネル１２ｃとの熱媒循環により第３貯湯槽１１ｃ内における湯水を効率良く加熱できることから、第３太陽熱利用給湯システム１０ｃの制御盤１９は、第３集熱ポンプ１５ｃを駆動させる（Ｓ８０）。これにより、第３貯湯槽１１ｃ内における湯水の温度を上昇させることとなる。そして、処理は図５のステップＳ２１に移行する。
【０１１５】
一方、第３集熱パネル１２ｃ内の熱媒温度ＴＰＡ３と第３貯湯槽１１ｃにおける最下部の湯水温度ＴＬ３との差温が所定温度ｔ１以上でないと判断した場合（Ｓ７９：ＮＯ）、第３集熱パネル１２ｃと熱媒循環を行っても第３貯湯槽１１ｃ内における湯水をあまり加熱できないことから、第３太陽熱利用給湯システム１０ｃの制御盤１９は、第３集熱ポンプ１５ｃを駆動させない（Ｓ８１）。そして、処理は図５のステップＳ２１に移行する。
【０１１６】
ところで、第３貯湯槽１１ｃにおける最下部の湯水温度ＴＬ３が設定温度Ｔｓｅｔ３未満でないと判断した場合（Ｓ７１：ＮＯ）、全ての貯湯槽１１においてそれぞれの設定温度Ｔｓｅｔ１，Ｔｓｅｔ２，Ｔｓｅｔ３以上の温水が満量であると判断できることから、各制御盤１９は、全ての循環制御弁１４を閉じると共に全ての集熱ポンプ１５を駆動させない（Ｓ８２）。そして、処理は図５のステップＳ２１に移行する。
【０１１７】
なお、図８に示した処理はマルチ太陽熱利用給湯システム１の電源がオフされるまで繰り返し実行される。また、第１及び第２太陽熱利用給湯システム１０ａ，１０ｂは、自己の制御盤１９と第３太陽熱利用給湯システム１０ｃの制御盤１９との通信により、第３太陽熱利用給湯システム１０ｃの第５温度センサ１８ｅから温度信号を入力することはいうまでもない。
【０１１８】
次に、上記処理を実行した場合における熱媒の循環について更に詳細に説明する。なお、以下の図９〜図１２においては、全ての循環ポンプ１５がオンされるものとして説明する。図９〜図１２は、熱媒の循環の詳細を示す図である。なお、図９〜図１２において黒塗りの循環制御弁１４は閉状態を示し、白塗りの循環制御弁１４は開状態を示している。また、配管１３，６０のうち太線にて示す箇所には熱媒が流れており、細線にて示す箇所では熱媒の流れが停止している。
【０１１９】
まず、図５に示す熱量優先モードの場合、図９に示すように、各太陽熱利用給湯システム１０においてそれぞれの循環制御弁１４が開けられることとなる。このため、それぞれの集熱パネル１２にて加熱された熱媒が、それぞれの貯湯槽１１に供給され、熱交換器１１ｄにて熱交換が行われる。この結果、全ての貯湯槽１１内における湯水の温度が均一化されることとなる。
【０１２０】
また、図６に示す温度優先モードにおいて第１貯湯槽１１ａ内における湯水を優先加熱する制御の場合、図１０に示すように、第１循環制御弁１４ａが開けられ、第２及び第３循環制御弁１４ｂ，１４ｃが閉じられることとなる。これにより、第１〜第３集熱パネル１２ａ〜１２ｃにて加熱された熱媒は、第１貯湯槽１１ａに供給されて熱交換が行われる。この結果、第１貯湯槽１１ａ内における湯水が優先的に加熱されることとなる。
【０１２１】
詳細には、接続点Ａにおける熱媒は、第２集熱ポンプ１５ｂによって、接続点Ｃを経て接続点Ｄまで導かれる。その後、熱媒は、第２集熱パネル１２ｂにて加熱され、接続点Ｇを経て接続点Ｆまで導かれる。そして、第１太陽熱利用給湯システム１０ａの熱交換器１１ｄに至ることとなる。
【０１２２】
さらに、接続点Ａにおける熱媒は、第３集熱ポンプ１５ｃによって、接続点Ｂまで導かれる。その後、熱媒は、第３集熱パネル１２ｃにて加熱され、接続点Ｅを経て接続点Ｆまで導かれる。そして、第１太陽熱利用給湯システム１０ａの熱交換器１１ｄに至ることとなる。
【０１２３】
このように、図１０に示す例では、第１〜第３集熱パネル１２ａ〜１２ｃにて加熱された熱媒が、第１貯湯槽１１ａに供給され、第１貯湯槽１１ａ内における湯水が優先的に加熱されることとなる。
【０１２４】
また、図７に示す温度優先モードにおいて第２貯湯槽１１ｂ内における湯水を優先加熱する制御の場合、図１１に示すように、第２循環制御弁１４ｂが開けられ、第１及び第３循環制御弁１４ａ，１４ｃが閉じられることとなる。これにより、第１〜第３集熱パネル１２ａ〜１２ｃにて加熱された熱媒は、第２貯湯槽１１ｂに供給されて熱交換が行われる。この結果、第２貯湯槽１１ｂ内における湯水が優先的に加熱されることとなる。
【０１２５】
詳細には、接続点Ｄにおける熱媒は、第１集熱ポンプ１５ａによって、接続点Ｃを経て接続点Ａまで導かれる。その後、熱媒は、第１集熱パネル１２ａにて加熱され、接続点Ｆを経て接続点Ｇまで導かれる。そして、第２太陽熱利用給湯システム１０ｂの熱交換器１１ｄに至ることとなる。
【０１２６】
さらに、接続点Ｄにおける熱媒は、第３集熱ポンプ１５ｃによって、接続点Ｂまで導かれる。その後、熱媒は、第３集熱パネル１２ｃにて加熱され、接続点Ｅを経て接続点Ｇまで導かれる。そして、第２太陽熱利用給湯システム１０ｂの熱交換器１１ｄに至ることとなる。
【０１２７】
このように、図１１に示す例では、第１〜第３集熱パネル１２ａ〜１２ｃにて加熱された熱媒が、第２貯湯槽１１ｂに供給され、第２貯湯槽１１ｂ内における湯水が優先的に加熱されることとなる。
【０１２８】
また、図８に示す温度優先モードにおいて第３貯湯槽１１ｃ内における湯水を優先加熱する制御の場合、図１２に示すように、第３循環制御弁１４ｃが開けられ、第１及び第２循環制御弁１４ａ，１４ｂが閉じられることとなる。これにより、第１〜第３集熱パネル１２ａ〜１２ｃにて加熱された熱媒は、第３貯湯槽１１ｃに供給されて熱交換が行われる。この結果、第３貯湯槽１１ｃ内における湯水が優先的に加熱されることとなる。
【０１２９】
詳細には、接続点Ｂにおける熱媒は、第１集熱ポンプ１５ａによって、接続点Ｃを経て接続点Ａまで導かれる。その後、熱媒は、第１集熱パネル１２ａにて加熱され、接続点Ｆを経て接続点Ｅまで導かれる。そして、第３太陽熱利用給湯システム１０ｃの熱交換器１１ｄに至ることとなる。
【０１３０】
さらに、接続点Ｂにおける熱媒は、第２集熱ポンプ１５ｂによって、接続点Ｃを経て接続点Ｄまで導かれる。その後、熱媒は、第２集熱パネル１２ｂにて加熱され、接続点Ｇを経て接続点Ｅまで導かれる。そして、第３太陽熱利用給湯システム１０ｃの熱交換器１１ｄに至ることとなる。
【０１３１】
このように、図１２に示す例では、第１〜第３集熱パネル１２ａ〜１２ｃにて加熱された熱媒が、第３貯湯槽１１ｃに供給され、第３貯湯槽１１ｃ内における湯水が優先的に加熱されることとなる。
【０１３２】
このようにして、本実施形態に係るマルチ太陽熱利用給湯システム１及びその制御方法によれば、各太陽熱利用給湯システム１０の各第１配管１３を接続することにより、各太陽熱利用給湯システム１０の貯湯槽１１の熱媒を他の太陽熱利用給湯システム１０の集熱パネル１２とで循環可能とする第２配管６０を備えている。このため、各太陽熱利用給湯システム１０の循環制御弁１４を制御することにより、１の貯湯槽１１に対して複数の集熱パネル１２にて加熱された熱媒を供給することが可能となる。これにより、日照環境が悪い季節や時間帯であっても１の貯湯槽１１における湯水については高温化を図ることができる。一方、第２配管６０にて熱媒を循環させないことにより、それぞれの集熱パネル１２にて加熱された熱媒をそれぞれの貯湯槽１１に供給することも可能となる。よって、全ての貯湯槽１１内の湯水について均等に温度を上昇させることもできる。従って、環境及びユーザの要望に応じて適切に各貯湯槽１１内の湯水を加熱することができる。
【０１３３】
また、１の太陽熱利用給湯システム１０について循環制御弁１４を開けるため、第１配管１３を通じて熱媒を循環させて貯湯槽１１内の湯水を加熱することができる。また、他の太陽熱利用給湯システム１０について循環制御弁１４を閉じるため、第２配管６０を通じて他の太陽熱利用給湯システム１０の集熱パネル１２により加熱された熱媒を当該１の太陽熱利用給湯システム１０の貯湯槽１１に供給して当該貯湯槽１１内の湯水を加熱することができる。詳細に第１循環制御弁１４ａを開け、第２及び第３循環制御弁１４ｂ，１４ｃを閉じた場合には、第１〜第３集熱パネル１２ａ〜１２ｃにより加熱された熱媒を第１貯湯槽１１ａに供給して第１貯湯槽１１ａ内の湯水を加熱することができる。また、第２循環制御弁１４ｂを開け、第１及び第３循環制御弁１４ａ，１４ｃを閉じた場合には、第１〜第３集熱パネル１２ａ〜１２ｃにより加熱された熱媒を第２貯湯槽１１ｂに供給して第２貯湯槽１１ｂ内の湯水を加熱することができる。同様に、第３循環制御弁１４ｃを開け、第１及び第２循環制御弁１４ａ，１４ｂを閉じた場合には、第１〜第３集熱パネル１２ａ〜１２ｃにより加熱された熱媒を第３貯湯槽１１ｃに供給して第３貯湯槽１１ｃ内の湯水を加熱することができる。よって、１つの貯湯槽１１内の湯水を優先的に加熱でき、午前中などの日射量が充分でない環境においても、後段に接続されるガス給湯器等における追い焚きの頻度を低減することができる。
【０１３４】
また、第１貯湯槽１１ａの湯水が予め定められた設定温度Ｔｓｅｔ１に達した場合、第１循環制御弁１４ａを閉じ、第２循環制御弁１４ｂ（又は第３循環制御弁１４ｃ）を開けるため、第２貯湯槽１１ｂ（又は第３貯湯槽１１ｃ）内の湯水を優先的に加熱して設定温度Ｔｓｅｔ２（又はＴｓｅｔ３）に達した湯又は設定温度Ｔｓｅｔ２（又はＴｓｅｔ３）に近い温度に達した湯を得ることができる。さらに、第２貯湯槽１１ｂの湯水が予め定められた設定温度Ｔｓｅｔ２に達した場合、第２循環制御弁１４ｂを閉じ、第１循環制御弁１４ａ（又は第３循環制御弁１４ｃ）を開けるため、第１貯湯槽１１ａ（又は第３貯湯槽１１ｃ）内の湯水を優先的に加熱して設定温度Ｔｓｅｔ１（又はＴｓｅｔ３）に達した湯又は設定温度Ｔｓｅｔ１（又はＴｓｅｔ３）に近い温度に達した湯を得ることができる。加えて、第３貯湯槽１１ｃの湯水が予め定められた設定温度Ｔｓｅｔ３に達した場合、第３循環制御弁１４ｃを閉じ、第１循環制御弁１４ａ（又は第２循環制御弁１４ｂ）を開けるため、第１貯湯槽１１ａ（又は第２貯湯槽１１ｂ）内の湯水を優先的に加熱して設定温度Ｔｓｅｔ１（又はＴｓｅｔ２）に達した湯又は設定温度Ｔｓｅｔ１（又はＴｓｅｔ２）に近い温度に達した湯を得ることができる。従って、後段に接続されるガス給湯器等における追い焚きの頻度を一層低減することができる。
【０１３５】
また、それぞれの設定温度Ｔｓｅｔ１，Ｔｓｅｔ２，Ｔｓｅｔ３に達した湯水を貯湯する貯湯槽１１がある場合、その貯湯槽１１について選択的に出湯制御弁１７を開けて出湯させるため、それぞれの設定温度Ｔｓｅｔ１，Ｔｓｅｔ２，Ｔｓｅｔ３に達した湯水をユーザに供給でき追い焚きを不要とすることができる。また、それぞれの設定温度Ｔｓｅｔ１，Ｔｓｅｔ２，Ｔｓｅｔ３に達した湯水を貯湯する貯湯槽１１がない場合、優先加熱される１の太陽熱利用給湯システム１０の出湯制御弁１７を開けて出湯させるため、最も優先的に加熱される貯湯槽１１内の湯水をユーザに供給することができる。
【０１３６】
また、温度優先モードを有するため、後段に接続されるガス給湯器等における追い焚きの頻度を低減することができる。さらに、各太陽熱利用給湯システム１０それぞれについて循環制御弁１４を開ける熱量優先モードを有するため、いずれか１つの貯湯槽１１の湯水のみが高温となり放熱量が高くなってしまう事態を防止でき、貯湯熱量の効率化を図ることができる。
【０１３７】
以上、実施形態に基づき本発明を説明したが、本発明は上記実施形態に限られるものではなく、本発明の趣旨を逸脱しない範囲で、変更を加えてもよい。図１３は、本実施形態に係るマルチ太陽熱利用給湯システム１の変形例を示す構成図である。図１３に示すように、変形例においては、給湯配管３０が分けられており、第１太陽熱利用給湯システム１０ａが高温給湯系統に属し、第２及び第３太陽熱利用給湯システム１０ｂ，１０ｃが中温給湯系統に属している。
【０１３８】
そして、変形例に係るマルチ太陽熱利用給湯システム１では、複数の太陽熱利用給湯システム１０の貯湯槽１１のうち、高温給湯系統に属する第１太陽熱利用給湯システム１０ａの第１貯湯槽１１ａから優先的に熱媒を循環させる。これにより、高温給湯系統に属する第１貯湯槽１１ａ内の湯水は設定温度Ｔｓｅｔ１又は設定温度Ｔｓｅｔ１に近い温度を保持することができる。よって、後段に接続されるガス給湯器等における追い焚きの頻度をより一層低減することができる。
【０１３９】
なお、この変形例においては、ユーザから高温の温水の出湯要求があった場合に、第１太陽熱利用給湯システム１０ａの第１出湯制御弁１７ａを開ければよく、最も高温の湯水を貯湯する貯湯槽１１の判断を行う必要が無くなるという利点もある。
【０１４０】
さらに、マルチ太陽熱利用給湯システム１は、湯水の供給先の出湯パターンを記憶する記憶手段を備え、制御盤１９は、記憶手段により記憶された出湯パターンに応じて、温度優先モードと熱量優先モードとを切り替えるようにしてもよい。例えば、各家庭において夕方ごろに炊事のため中温の温水を必要とし、夜間には風呂のため高温の温水を必要とし、深夜には洗い物のため中温の温水を必要とする、などのパターンがある。このため、マルチ太陽熱利用給湯システム１は、このようなパターンから、夕方ごろに熱量優先モードに移行し、夜間に温度優先モードに移行し、深夜に熱量優先モードに移行する、などのモード移行を行うことができる。このように、高温の温水の必要時には温度優先モードで運転することとなり、追い焚きが不要となるだけでなく、熱量優先モードを介在させることにより、貯湯熱量の効率化を図ることができる。よって、ユーザの出湯状況に応じて、追い焚きの頻度を低減することができ、且つ、貯湯熱量の効率化を図ることができる。
【０１４１】
加えて、上記したマルチ太陽熱利用給湯システム１においてそれぞれの太陽熱利用給湯システム１０は、差温が大きい場合（所定温度ｔ１以上である場合）に、集熱ポンプ１５を駆動させ、循環制御弁１４を開けていた。そして、差温が所定温度ｔ１未満となった場合に、集熱ポンプ１５を停止させ、循環制御弁１４を閉じていた。しかし、これに限らず、所定温度ｔ１よりも小さい規定温度ｔ２を設定しておき、差温が規定温度ｔ２以下となった場合に、集熱ポンプ１５を停止させ、循環制御弁１４を閉じるようにしてもよい。これにより、温度ヒステリシスを設けることとなり、集熱ポンプ１５の駆動と停止、及び、循環制御弁１４の弁開及び弁閉が繰り返されてしまう事態を防止することができる。
【０１４２】
また、上記したマルチ太陽熱利用給湯システム１では、各太陽熱利用給湯システム１０に制御盤１９が設けられているが、例えば制御機能の全てがメインコントローラ５０に設けられ、各太陽熱利用給湯システム１０に制御盤１９が設けられていなくともよい。さらには、制御盤１９の一部機能をメインコントローラ５０に設け、各太陽熱利用給湯システム１０の制御盤１９とメインコントローラ５０とによって、マルチ太陽熱利用給湯システム１を制御するように構成されていてもよい。
【０１４３】
また、上記したマルチ太陽熱利用給湯システム１において第２配管６０の接続方法は図１に示したものに限られるものではない。加えて、第２配管６０上に逆止弁や集熱ポンプなどの構成を設けるようにしてもよい。また、第１配管１３上に設けられる循環制御弁１４、集熱ポンプ１５、及び逆止弁１６の位置についても適宜変更可能であり、これら要素１４〜１６以外の要素が第１配管１３上に設けられていてもよい。
【符号の説明】
【０１４４】
１…マルチ太陽熱利用給湯システム
１０…太陽熱利用給湯システム
１１…貯湯槽
１２…集熱パネル（加熱源）
１３…第１配管
１３ａ…行き配管
１３ｂ…戻り配管
１４…循環制御弁
１５…集熱ポンプ
１６…逆止弁
１７…出湯制御弁
１８…複数の温度センサ
１９…制御盤（制御手段）
２０…給水配管
３０…給湯配管
４０…信号線
５０…メインコントローラ
６０…第２配管
６０ａ…行き配管
６０ｂ…戻り配管
【図１】
2014181822.tif 000003
【図２】
2014181822.tif 000004
【図３】
2014181822.tif 000005
【図４】
2014181822.tif 000006
【図５】
2014181822.tif 000007
【図６】
2014181822.tif 000008
【図７】
2014181822.tif 000009
【図８】
2014181822.tif 000010
【図９】
2014181822.tif 000011
【図１０】
2014181822.tif 000012
【図１１】
2014181822.tif 000013
【図１２】
2014181822.tif 000014
【図１３】
2014181822.tif 000015